(57)【特許請求の範囲】
【請求項１】
ジュース絞り器（１０）であって：
搾汁すべき果物および／または野菜片を受けるための入口（３７）および搾り出したジュースのための出口（２４）を有するオーガ管（１１）、
上記管（１１）内に回転可能に取付けてあり且つ上記管（１１）の外部から回転するように駆動されるオーガ（１５）、
上記オーガ（１５）の一端にあり、ある程度搾汁したかすを受け且つそれから更なるジュースを搾り出すために上記かすを磨砕するための磨砕器（１６、１８）、および
上記ジュース出口（２４）とは別の、磨砕かす出口（３５）を含み、
上記磨砕器が上記オーガ（１５）の一端上の磨砕面（１６）および上記オーガ管（１１）内に固定した磨砕板（１８）を含み、上記オーガ（１５）を回転すると、上記磨砕面（１６）が上記磨砕板（１８）と接触して回転し、
上記磨砕面（１６）が渦巻き構造体を有し、その上、上記磨砕板（１８）が上記磨砕面（１６）の上記渦巻き構造体と反対方向の渦巻き構造体を有する
ジュース絞り器。
【請求項２】
請求項１に記載のジュース絞り器（１０）に於いて、上記オーガ（１５）は、ピッチが上記磨砕器（１６）に向って減少する渦巻き構造体（３６）を含むジュース絞り器。
【請求項３】
請求項１に記載のジュース絞り器（１０）に於いて、上記磨砕板（１８）が上記残渣出口キャップ（１９）内に固定してあるジュース絞り器。
【請求項４】
請求項３に記載のジュース絞り器（１０）に於いて、残渣出口キャップ（１９）が上記オーガ管（１１）に一時的に固定してあるジュース絞り器。
【請求項５】
請求項１に記載のジュース絞り器（１０）に於いて、上記磨砕面（１６）および磨砕板（１８）の形状が実質的に円錐形であるジュース絞り器。
【請求項６】
請求項５に記載のジュース絞り器（１０）に於いて、上記残渣出口キャップ（１９）の形状が実質的に円錐形であるジュース絞り器。
【請求項７】
請求項１に記載のジュース絞り器（１０）に於いて、上記オーガ管（１１）に内部縦溝（１３）が作られているジュース絞り器。
【請求項８】
請求項１に記載のジュース絞り器（１０）に於いて、上記オーガ（１５）がスプライン端を有し、その上にスプライン付きソケット（２３）を有するハンドル（１２）を受けるジュース絞り器。
【請求項９】
請求項１に記載のジュース絞り器（１０）に於いて、上記オーガ管（１１）がラグ（３８）を含み、および上記ジュース絞り器（１０）も上記ラグ（３８）を受けるベース（２１）を含むジュース絞り器。
【請求項１０】
請求項９に記載のジュース絞り器（１０）に於いて、上記ベース（２１）が吸引締結装置（２９、２６、３２、３１）によって平坦面上に一時的に取付けられたジュース絞り器。
【発明の詳細な説明】
【０００１】
【発明の属する技術分野】
本発明は、ジュース絞り器に関する。更に詳しくは、排他的にではないが、この発明は、果物または野菜のかすを粉砕して更なるジュースを搾り出すための磨砕機構の方へこのかすを動かすオーガ（ａｕｇｅｒ）を有するジュース絞り器に関する。
【０００２】
【従来の技術】
既知のジュース絞り器は、果物または野菜からジュースを搾り出すために種々の回転可能な機構を含む。柑橘ジュースに対しては、この果物を半分に切って、各半分を回転する円錐／半球面に押付けることができる。そのような装置は、果物からジュースを取出すだけでなく、ジュースに繊維性果物細片および種を混ぜる。これらの細片は、飲むべき搾り出したジュースに含まれている。
【０００３】
ジュース中に残渣の少ない天然果物ジュースまたは野菜ジュースを提供することが望ましい。
【０００４】
【発明が解決しようとする課題】
本発明の目的は、果物または野菜のかすをジュースそれ自体からよく分離するジュース絞り器を提供することである。
【０００５】
本発明の更なる目的は、果物または野菜のかすから更なるジュースを搾り出すジュース絞り器を提供し、改善することである。
【０００６】
本発明のその上更なる目的は、厨房作業台に一時的に取付けるための効率的ジュース絞り器を提供することである。
【０００７】
本発明の一般的目的は、上記の欠点を克服または実質的に改善することである。
【０００８】
【課題を解決するための手段】
上記目的は、ジュース絞り器であって：
搾汁する果物および／または野菜片を受けるための入口および搾り出したジュースのための出口を有するオーガ管、
上記管内に回転可能に取付けてあり且つ上記管の外部から回転するように駆動されるオーガ、
上記オーガの一端にあり、部分的に搾汁したかすを受け且つそれから更なるジュースを搾り出すために上記かすを磨砕するための磨砕器、および
上記ジュース出口とは別の磨砕かす出口を有するジュース絞り器によって達成される。
【０００９】
【発明の実施の形態】
上記オーガは、ピッチが上記磨砕器に向って減少する渦巻き構造体を含むのが好ましい。
【００１０】
上記磨砕器は、上記オーガの一端に磨砕面を有し且つ上記オーガ管内に固定した磨砕板を有し、上記オーガを回転すると、上記磨砕面が上記磨砕板と接触して回転するのが好ましい。
【００１１】
上記磨砕面が渦巻き構造体を有し、および上記磨砕板が上記磨砕面の上記渦巻き構造体と反対方向の渦巻き構造体を有するのが好ましい。
【００１２】
残渣出口キャップが上記オーガ管に一時的に固定してあるのが好ましい。
上記磨砕板が上記残渣出口キャップ内に固定してあるのが好ましい。
【００１３】
上記磨砕面および磨砕板の形状が実質的に円錐形であるのが好ましい。
上記残渣出口キャップの形状が実質的に円錐形であるのが好ましい。
【００１４】
上記オーガ管に内部縦溝が作ってあるのが好ましい。
上記オーガがスプライン端を有し、その上にスプライン付きソケットを有するハンドルを受けるのが好ましい。
【００１５】
上記オーガ管が構造体を含み、および上記ジュース絞り器も上記構造体を受けるベース即ち基体を含むのが好ましい。
上記ベースが吸引締結装置によって平坦面上に一時的に取付けてあるのが好ましい。
【００１６】
次に、本発明の好適形態を例として、ジュース絞り器の概略部品分解透視図である図１を参照して説明する。
【００１７】
【実施例】
添付の図面に、ジュース絞り器１０が部品分解図で描いてある。
ジュース絞り器１０は、図示のように入口ホッパ３７を有するオーガ管１１を含む。
【００１８】
オーガ１５は、このオーガ管１１内に嵌め込まれ、且つハンドル１２のスプライン付きソケット２３に嵌まるスプライン駆動端を有する。即ち、このオーガの駆動端は、オーガ管１１の一端の開口を貫通して管１１の外部でスプライン付きソケット２３を受ける。ハンドル１２を回転すると、オーガ管１１内でオーガ１５の回転が生じる。
【００１９】
溝１３は、オーガ管１１の内面に沿って縦即ち軸線方向に延在する。これらの溝１３は、管１１の内面全部に配置してあっても、途中までだけ配置してあってもよい。もし、これらの溝が管１１の内面全部に延在しているのでないならば、溝をその下部にだけ設けてもよい。
【００２０】
オーガ１５を中央に取付けるために、典型的にはナイロンで作った軸受１４をこのオーガのスプライン端の周りに嵌めて、このスプライン端がスプライン付きソケット２３を受けるために通る開口（図示せず）の中央にこのオーガを位置付ける。このオーガのスプライン端は、このオーガ自体の主要部と異なる材料で作ることができる。オーガがプラスチック材料製の場合、このスプライン端は、強または高密度プラスチック製でもよい。この部品をオーガの主要部に接着またはプラスチック溶接してもよい。
【００２１】
残渣出口キャップ１９がオーガ管１１の端にねじ込んである。この残渣出口キャップ１９は、円錐形を有し、その内部に金属磨砕板１８が受け入れられている。磨砕板１８は、円錐キャップ１９の内面に成形してある類似の形状の螺旋構造体（図示せず）と対応し且つプレス加工されたくぼみを有する。これらの螺旋構造体は、この磨砕板のものと係合して磨砕板１８がキャップ１９内で回転するのを防ぐ。封止リング１７がキャップ１９に嵌り、このキャップ１９をオーガ管１１にねじ嵌めたときその端を押付ける。残渣出口キャップ１９は、貫通路３４を備える先端部を有する。この先端部は、小さい孔３５のある残渣先端出口２０を受けるために外ねじが切ってある。磨砕された残渣は、この孔３４、３５を通って、例えばカップによって受け入れられる。
【００２２】
オーガ１５は、その端に固着された、円錐形で金属製の磨砕面１６を有する。この磨砕面１６は、磨砕板１８に作られた構造体の方向とは反対方向に延在する渦巻き形の構造体を有する。板１８および面１９は、このオーガの他の部品およびハウジングが典型的には成形プラスチック材料で作ってあるのに対して、典型的には金属製である。このオーガ管は、光透過性または透明でもよい。オーガ１５は、その外面に沿って一端から他端まで延在する螺旋３６を有する。この螺旋のピッチは、磨砕面１６の方に向って減少する。即ち、ホッパ３７の下で、この螺旋のピッチが大きく、残渣出口端の方に向ってピッチが減少する。
【００２３】
オーガ管１１は、ベース２１の上端の構造体３９内に受け入れられるラグ３８をその底面に有する。このベース２１は、その中の吸引固定具によって厨房作業台表面に一時的に固定するようになっている。
【００２４】
ベース２１は、典型的にはプラスチック成形品として作ってあり、偏心装置またはカムの付いた軸２６を含む。この軸は、孔２５を貫通する。この軸の端に、座金２８を貫通する四角頭２７が設けてある。座金２８は、ねじによってくぼみに固定してある。ダイヤル２９が四角頭２７に取付けてあり、部分的にこのベースの孔２５の周りのくぼみの中へ延在する。ベース２１内に、リフタ３２と協同する板３０が設けてある。リフタ３２は、直立の脚を有し、それにカム面３３が作ってある。軸２６がこの孔を貫通し、その周りにこのカム面３３と係合する偏心装置が作ってあり、ダイヤル２９をひねって軸２６を回転すると、リフタ３２が作業台表面を離れてベース２１の中へ上方に持上がる。リフタ３２は、例えばゴムで作ってあり且つ周辺がベースに固定してある隔膜３１を圧迫する。この隔膜は、ベース２１を作業台表面上に保持するために吸盤のように作用する。
【００２５】
特別な形状のカップ２２がこの作業台表面上に坐り、部分的にベース２１を囲む。このカップ２２は、ジュース出口２４の直ぐ下に坐るジュース受け延長部４０を含む。
【００２６】
使用する際、果物および／または野菜片をホッパ３７からオーガ管１１の供給端へ挿入する。ハンドル１２を時計方向に回転してオーガ１５を管１１の中で回転させる。その結果として、これらの果物および／または野菜片を磨砕面１６の方へ押出すために渦巻き構造体３６によって捕えられる。
【００２７】
このオーガの渦巻き構造体が接触する縦溝１３のために、これらの片が管１１の中で単純には回転せず、磨砕面１６の方へ押出される。構造体３６のピッチが減少するので、これらの片が搾られ、搾り出されたジュースが出口２４へ逆流させられ、カップ２２によって受けられる。例えば、繊維性かすおよび種を磨砕面１６の方へ送出すると、それらは、この磨砕面とこの面が接触して回転する磨砕板１８との間で粉砕される。これらの部品が反対方向の渦巻き構造体を有するので、効率的破砕効果を達成する。また、粉砕した果物／野菜片を出口孔３４および３５の方へ押出し、それから更なるジュースを搾る。孔３５が非常に小さいので、これらの果物／野菜片からのジュースの殆ど全てが筒１１の中へ押戻されてジュース出口２４へ逆流する。この流れを支援するために、オーガ管１１の底をジュース出口２４の方へ下方に傾斜させることができる。当業者に明白な修正および変更は、本発明の範囲を超えると考えるべきでないことを理解すべきである。
【００２８】
例えば、カップ２２は、二つの区画室を設けて一つはジュース用、他は出口３５から受けたかす用にしてもよい。また、手動操作ハンドルの代りに、電気モータ、および事によると減速歯車装置がこのオーガを駆動してもよい。
【図面の簡単な説明】
【図１】ジュース絞り器の概略部品分解透視図である。
【符号の説明】
１０  ジュース絞り器
１１  オーガ管
１２  ハンドル
１３  縦溝
１５  オーガ
１６  磨砕面
１８  磨砕板
１９  残渣出口キャップ
２１  ベース
２３  ソケット
２４  出口
２６  軸
２９  ダイヤル
３１  隔膜
３２  リフタ
３５  磨砕かす出口
３６  渦巻き構造体
３７  入口
３８  ラグ
【図１】
0003990571.tif 000002